(57)【要約】【課題】圧迫を均一に行うことができ、ノイズがのりにくくて、高精度の測定が実現できるようにする。【解決手段】圧縮空気を給排する給排気接続口９を有する上層の圧迫用空気袋６Ａ，６Ｂと、この圧迫用空気袋６Ａ，６Ｂと連通部８ａ，８ｂで連通されるとともに、圧力センサ１２と接続されるセンサ接続口１１を有して、動脈の脈波を検出する下層の計測用空気袋７とが積層状態で設けられ、この下層の計測用空気袋７のセンサ接続口１１は、上層の圧迫用空気袋６Ａ，６Ｂに形成されたセンサ接続用開口部１０ａ，１０ｂを遊嵌して、給排気接続口９と同一方向に突出するように配設されている。【選択図】  図１
2004254717.tif 000002
【特許請求の範囲】
【請求項１】
少なくとも主要な２本以上の動脈が存在する部位に巻装して、動脈を圧迫して血圧測定を行う血圧計のカフ帯において、
圧縮空気を給排する給排気接続口を有する上層の圧迫用空気袋と、この圧迫用空気袋と連通部で連通されるとともに、圧力センサと接続されるセンサ接続口を有して、動脈の脈波を検出する下層の計測用空気袋とが積層状態で設けられ、この下層の計測用空気袋のセンサ接続口は、上層の圧迫用空気袋に形成されたセンサ接続用開口部を遊嵌して、上記給排気接続口と同一方向に突出するように配設されていることを特徴とする血圧計のカフ帯。
【請求項２】
上記圧迫用空気袋は、蛇腹状に構成されている請求項１記載の血圧計のカフ帯。
【請求項３】
上記計測用空気袋と同じ層に、上層の圧迫用空気袋に連通する圧迫補助用空気袋が設けられている請求項１または２記載の血圧計のカフ帯。
【請求項４】
上記下層の計測用空気袋は、カフ帯の長手方向中央部から左右いずれか一方に配設されるとともに、他方に上記圧迫補助用空気袋が配置されている請求項３記載の血圧計のカフ帯。
【請求項５】
上記計測用空気袋は、上記圧迫補助用空気袋よりも生体接触面積が小さく設定されて、カフ帯の幅方向中央部に配設されている請求項４記載の血圧計のカフ帯。
【請求項６】
上記圧迫用空気袋が複数積層状態で設けられて、この圧迫用空気袋と圧迫用空気袋との連通部は、流路抵抗が高く設定されている請求項１〜３のいずれか１項に記載の血圧計のカフ帯。
【請求項７】
上記圧迫用空気袋と上記計測用空気袋との連通部は、流路抵抗が高く設定されている請求項１〜３のいずれか１項に記載の血圧計のカフ帯。
【請求項８】
少なくとも１つ以上の圧迫用空気袋は、カフ帯の長手方向中央部に流路が形成され、この流路の流路抵抗が高く設定されている請求項１〜３のいずれか１項に記載の血圧計のカフ帯。
【請求項９】
上記流路抵抗が高く設定されている部位は、所定の空気容量を持った空気室に接続されている請求項６〜８のいずれか１項に記載の血圧計のカフ帯。
【請求項１０】
上記流路抵抗は、上記給排気接続口から計測用空気袋に近設されるものほど高くなるように設定されている請求項４〜６のいずれか１項に記載の血圧計のカフ帯。
【請求項１１】
上記流路抵抗は、空気袋の溶着パターンによって構成されている請求項６〜８のいずれか１項に記載の血圧計のカフ帯。
【請求項１２】
上記空気袋の溶着によって構成された流路抵抗内に、所定の大きさの凹凸部が形成されている請求項１１記載の血圧計のカフ帯。
【請求項１３】
上記圧迫補助用空気袋と上記計測用空気袋との間に、振動遮断手段が設けられている請求項１〜３のいずれか１項に記載の血圧計のカフ帯。
【請求項１４】
上記計測用空気袋の血流上流側と下流側とに、振動遮断手段が設けられている請求項１〜３のいずれか１項に記載の血圧計のカフ帯。
【請求項１５】
上層の圧迫用空気袋と下層の計測用空気袋との間に、振動遮断手段が設けられている請求項１〜３のいずれか１項に記載の血圧計のカフ帯。
【請求項１６】
上記圧迫用空気袋と上記計測用空気袋とを連通する連通部と、センサ接続口とは、計測用空気袋の長手方向の両端近傍に配設されている請求項１〜３のいずれか１項に記載の血圧計のカフ帯。
【請求項１７】
積層された圧迫用空気袋同士または圧迫用空気袋と圧迫補助用空気袋を連通する連通部と、圧迫用空気袋と計測用空気袋とを連通する連通部とは、カフ帯の長手方向の両端近傍に配設されている請求項１〜３のいずれか１項に記載の血圧計のカフ帯。
【請求項１８】
上記計測用空気袋のセンサ接続口または／および圧迫用空気袋の給排接続口は、接続方向に伸縮性のある素材が使用されている請求項１〜３のいずれか１項に記載の血圧計のカフ帯。
【請求項１９】
上記計測用空気袋のセンサ接続口は、接続方向に伸縮可能な蛇腹状に形成されている請求項１〜３のいずれか１項に記載の血圧計のカフ帯。
【請求項２０】
上記圧迫用空気袋の上に、膨張抑制手段が設けられている請求項１〜３のいずれか１項に記載の血圧計のカフ帯。
【請求項２１】
上記計測用空気袋と上記圧迫用空気袋とが連通する連通部に、空気遮断弁が設けられている請求項１〜３のいずれか１項に記載の血圧計のカフ帯。
【請求項２２】
上記空気遮断弁で遮断された計測用空気袋内に、非圧縮性の流体が充填されている請求項２１記載の血圧計のカフ帯。
【請求項２３】
上記圧迫用空気袋のセンサ接続用開口の開口縁部に、所定幅の空気閉止域が形成されている請求項１〜３のいずれか１項に記載の血圧計のカフ帯。
【請求項２４】
上記空気閉止域に対応する圧迫用空気袋と計測用空気袋との間に、振動遮断手段が設けられている請求項２３記載の血圧計のカフ帯。
【請求項２５】
上記計測用空気袋の素材は、圧迫用空気袋の素材よりも伸縮性のある素材が使用されている請求項１〜３のいずれか１項に記載の血圧計のカフ帯。
【請求項２６】
上記計測用空気袋は、生体周方向において生体周長の略半分の領域を包含する長さに設定されている請求項１〜３のいずれか１項に記載の血圧計のカフ帯。
【請求項２７】
上記給排気接続口の近傍にダストフィルタが設けられている請求項１〜３のいずれか１項に記載の血圧計のカフ帯。
【請求項２８】
上記計測用空気袋と圧迫用空気袋とは、それぞれ排気手段に接続されている請求項１〜３のいずれか１項に記載の血圧計のカフ帯。
【請求項２９】
上記各空気袋を保持する外布を有するカフ帯において、上記計測用空気袋に相対する外布部分に、予め所定量の弛みが持たせられている請求項１〜３のいずれか１項に記載の血圧計のカフ帯。
【請求項３０】
請求項１〜２９のいずれか１項に記載のカフ帯を用いることを特徴とする血圧計。
【請求項３１】
上記血圧計の本体は、カフ帯に着脱可能に取付けられているとともに、この血圧計本体は、１８０度反転させてカフ帯に取付け可能となっている請求項３０記載の血圧計。
【請求項３２】
上記血圧計本体の表示部は、１８０度回転可能に取付けられている請求項３０記載の血圧計。
【発明の詳細な説明】
【０００１】
【発明の属する技術分野】
本発明は、血圧や脈波などの生体情報を計測する血圧計における動脈圧迫用空気袋を備えたカフ帯及びそれを用いた血圧計に関する。
【０００２】
【従来の技術】
従来、カフ圧迫法を用いて血圧の測定を行う血圧計では、動脈が完全に閉塞するまで加圧手段（ポンプ）などでカフ帯を加圧し、加圧しながらカフ圧に重畳されている動脈の脈波信号を捉える方法や所定量まで加圧後、徐々に減圧しつつ脈波信号を捉える方法があり、いずれもその脈波信号レベルの相対変化を基に最高、最低血圧を判定するが、このとき圧迫する生体部位としては、上腕、手首、足首などが用いられる。
【０００３】
これらに用いられているカフ帯の空気袋の多くは１層、または多層で構成されているものの、圧迫と計測が同じ空気袋で行われるため、加圧手段の駆動に伴う脈動が原因となるノイズによる影響を受けやすく、また脈波信号がカフ帯に吸収されて信号レベルが小さくなり、正確な血圧測定が難しいという欠点がある。
【０００４】
そこで、圧迫用空気袋と計測用空気袋に分離したものが提案されている（例えば、特許文献１参照）。
【０００５】
【特許文献１】
特開２０００−７９１０１号公報
【０００６】
【発明が解決しようとする課題】
しかしながら、特許文献１では、圧迫が均一に行われないために計測用空気袋をカフ帯中央に配置しなければならないという点や、また給排用や圧力センサの接続のための配管が複雑になって、ノイズがのりやすく正確な血圧測定が難しいという問題がある。
【０００７】
本発明は、上記問題を解消するためになされたもので、圧迫を均一に行うことができ、ノイズがのりにくくて、高精度の測定が実現できるカフ帯及びそれを用いた血圧計を提供することを課題とするものである。
【０００８】
【課題を解決するための手段】
上記課題を解決するために、本発明は、少なくとも主要な２本以上の動脈が存在する部位に巻装して、動脈を圧迫して血圧測定を行う血圧計のカフ帯において、
圧縮空気を給排する給排気接続口を有する上層の圧迫用空気袋と、この圧迫用空気袋と連通部で連通されるとともに、圧力センサと接続されるセンサ接続口を有して、動脈の脈波を検出する下層の計測用空気袋とが積層状態で設けられ、この下層の計測用空気袋のセンサ接続口は、上層の圧迫用空気袋に形成されたセンサ接続用開口部を遊嵌して、上記給排気接続口と同一方向に突出するように配設されていることを特徴とする血圧計のカフ帯を提供するものである。
【０００９】
上記圧迫用空気袋は蛇腹状に構成することができる。
【００１０】
上記計測用空気袋と同じ層に、上層の圧迫用空気袋に連通する圧迫補助用空気袋が設けられている構成とすることが好ましい。
【００１１】
上記下層の計測用空気袋は、カフ帯の長手方向中央部から左右いずれか一方に配設されるとともに、他方に上記圧迫補助用空気袋が配置されている構成とすることが好ましい。
【００１２】
上記計測用空気袋は、上記圧迫補助用空気袋よりも生体接触面積が小さく設定されて、カフ帯の幅方向中央部に配設されている構成とすることが好ましい。
【００１３】
上記圧迫用空気袋が複数積層状態で設けられて、この圧迫用空気袋と圧迫用空気袋との連通部は、流路抵抗が高く設定されている構成とすることが好ましい。
【００１４】
上記圧迫用空気袋と上記計測用空気袋との連通部は、流路抵抗が高く設定されている構成とすることが好ましい。
【００１５】
少なくとも１つ以上の圧迫用空気袋は、カフ帯の長手方向中央部に流路が形成され、この流路の流路抵抗が高く設定されている構成とすることが好ましい。
【００１６】
上記流路抵抗が高く設定されている部位は、所定の空気容量を持った空気室に接続されている構成とすることが好ましい。
【００１７】
上記流路抵抗は、上記給排気接続口から計測用空気袋に近設されるものほど高くなるように設定されている構成とすることが好ましい。
【００１８】
上記流路抵抗は、空気袋の溶着パターンによって構成されている構成とすることが好ましい。
【００１９】
上記空気袋の溶着によって構成された流路抵抗内に、所定の大きさの凹凸部が形成されている構成とすることが好ましい。
【００２０】
上記圧迫補助用空気袋と上記計測用空気袋との間に、振動遮断手段が設けられている構成とすることが好ましい。。
【００２１】
上記計測用空気袋の血流上流側と下流側とに、振動遮断手段が設けられている構成とすることが好ましい。
【００２２】
上層の圧迫用空気袋と下層の計測用空気袋との間に、振動遮断手段が設けられている構成とすることが好ましい。
【００２３】
上記圧迫用空気袋と上記計測用空気袋とを連通する連通部と、センサ接続口とは、計測用空気袋の長手方向の両端近傍に配設されている構成とすることが好ましい。
【００２４】
積層された圧迫用空気袋同士または圧迫用空気袋と圧迫補助用空気袋を連通する連通部と、圧迫用空気袋と計測用空気袋とを連通する連通部とは、カフ帯の長手方向の両端近傍に配設されている構成とすることが好ましい。
【００２５】
上記計測用空気袋のセンサ接続口または／および圧迫用空気袋の給排接続口は、接続方向に伸縮性のある素材が使用されている構成とすることが好ましい。
【００２６】
上記計測用空気袋のセンサ接続口は、接続方向に伸縮可能な蛇腹状に形成されている構成とすることが好ましい。
【００２７】
上記圧迫用空気袋の上に、膨張抑制手段が設けられている構成とすることが好ましい。
【００２８】
上記計測用空気袋と上記圧迫用空気袋とが連通する連通部に、空気遮断弁が設けられている構成とすることが好ましい。
【００２９】
上記空気遮断弁で遮断された計測用空気袋内に、非圧縮性の流体が充填されている構成とすることが好ましい。
【００３０】
上記圧迫用空気袋のセンサ接続用開口の開口縁部に、所定幅の空気閉止域が形成されている構成とすることが好ましい。
【００３１】
上記空気閉止域に対応する圧迫用空気袋と計測用空気袋との間に、振動遮断手段が設けられている構成とすることが好ましい。
【００３２】
上記計測用空気袋の素材は、圧迫用空気袋の素材よりも伸縮性のある素材が使用されている構成とすることが好ましい。
【００３３】
上記計測用空気袋は、生体周方向において生体周長の略半分の領域を包含する長さに設定されている構成とすることが好ましい。
【００３４】
上記給排気接続口の近傍にダストフィルタが設けられている構成とすることが好ましい。
【００３５】
上記計測用空気袋と圧迫用空気袋とは、それぞれ排気手段に接続されている構成とすることが好ましい。
【００３６】
上記各空気袋を保持する外布を有するカフ帯において、上記計測用空気袋に相対する外布部分に、予め所定量の弛みが持たせられている構成とすることが好ましい。
【００３７】
血圧計は上記カフ帯を用いた構成とすることが好ましい。
【００３８】
上記血圧計の本体は、カフ帯に着脱可能に取付けられているとともに、この血圧計本体は、１８０度反転させてカフ帯に取付け可能となっている構成とすることが好ましい。
【００３９】
上記血圧計本体の表示部は、１８０度回転可能に取付けられている構成とすることが好ましい。
【００４０】
【発明の作用および効果】
本発明によれば、下層の計測用空気袋のセンサ接続口は、上層の圧迫用空気袋のセンサ接続用開口部を遊嵌して、給排気接続口と同一方向に突出するように配設しているから、センサ接続口を血圧計本体に最短距離で接続できるので、計測用空気袋で捉えた脈波信号にノイズが乗りにくくなって、高精度の測定が実現できるようになる。
【００４１】
請求項２であれば、蛇腹状の圧迫用空気袋が曲がりやすくなるので、計測用空気袋を生体の曲面に沿って均一に圧迫することが可能となる。
【００４２】
請求項３であれば、計測用空気袋と圧迫補助用空気袋とを同じ層に設けることで、計測用空気袋は、上層の圧迫用空気袋よりも小さい形状となるから、阻血した際の動脈上流と下流の脈波信号の影響を避けることができる。また、圧迫補助用空気袋は、圧迫用空気袋で計測用空気袋が均一に加圧されることを保証する。この計測用空気袋と圧迫補助用空気袋とを、カフ帯の長手方向の左右に配置すれば、２本の主要な動脈の内のいずれか一方の脈波信号のみを捉えることが可能になるため、精度の高い血圧測定ができる。しかも、手首で計測する場合には、手首の上部中央にある腱部分を避けることも可能になるので、効果的に動脈を圧迫して阻血することができる。また、計測用空気袋をカフ帯の幅方向の中央部となるように配置すれば、阻血した際の動脈上流と下流の脈波信号の影響を効果的に避けることができる。
【００４３】
請求項４であれば、２本の主要な動脈の内のいずれか一方の脈波信号のみを確実に捉えることができるため、より精度の高い血圧測定ができる。しかも、手首で計測する場合、手首の上部中央にある腱部分を確実に避けることができるので、より効果的に動脈を圧迫して阻血することができる。
【００４４】
請求項５であれば、阻血した際の動脈上流と下流の脈波信号の影響をより効果的に避けることができる。
【００４５】
請求項６であれば、圧縮空気を供給する加圧手段（ポンプ）の駆動に伴う脈動が原因となるノイズが減衰するために、計測用空気袋でノイズの少ない高精度の脈波信号を捉えることができる。流路抵抗を高く設定する手段として、通気性のスポンジ状抵抗材料を連通部に設ければ、給排気の際に各空気袋内にチリ・ホコリ等のダストの侵入を防ぐことができるので、圧力センサの検出精度を維持することができる。なお、流路抵抗を高く設定する手段として、細管状の流路抵抗等でも良い。
【００４６】
請求項７であれば、加圧手段の駆動に伴う脈動が原因となるノイズが減衰するために、計測用空気袋でノイズの少ない高精度の脈波信号を捉えることができる。
【００４７】
請求項８であれば、加圧手段の駆動に伴う脈動が原因となるノイズが減衰するために、計測用空気袋でノイズの少ない高精度の脈波信号を捉えることができる。また、カフ帯の長手方向中央部の流路の流路抵抗を高く設定したから、手首で計測する場合、手首の上部中央の腱の部分であたるので、流路抵抗を高くしたことによる圧迫不足は無い。
【００４８】
請求項９であれば、空気室はローパスフィルターのような機能を持つことになるので、加圧手段の駆動に伴う脈動が原因となるノイズ成分をカットすることができる。なお、１次のローパスフィルターではなく、２次のローパスフィルターとすると、より効果的にノイズ成分をカットでき、２次の場合には、時定数を等しくすると、より効果的にノイズ成分をカットすることができる。
【００４９】
請求項１０であれば、フィルター効果がより高まって、加圧手段の駆動に伴う脈動が原因となるノイズ成分をより効果的にカットすることができる。
【００５０】
請求項１１であれば、流路抵抗部分の溶着代を増減することで、流路抵抗を簡単に調整することが可能になる。また、製造時に、空気袋の外周の溶着と同時に行えるので、製造コストが安くなる。さらに、流路抵抗をカフ帯の長手方向中央部に形成すると、手首で計測する場合、手首の上部中央にある腱の部分にあたるので、流路を形成したことによる圧迫不足は無い。
【００５１】
請求項１２であれば、溶着した狭い流路が密着して空気の流れが阻害されることを防止することができる。
【００５２】
請求項１３であれば、加圧手段の駆動に伴う脈動が原因となるノイズ成分が圧迫補助用空気袋から計測用空気袋に伝わるのを防止することができる。また、圧迫補助用空気袋と計測用空気袋とが膨張していく際に干渉して振動が発生するのを防止することができる。
【００５３】
請求項１４であれば、阻血した際の動脈上流と下流の脈波信号の影響を効果的に避けることができる。
【００５４】
請求項１５であれば、加圧手段の駆動に伴う脈動が原因となるノイズ成分が圧迫用空気袋から計測用空気袋に伝わるのを防止することができる。また、圧迫用空気袋と計測用空気袋とが膨張していく際に干渉して振動が発生するのを防止することができる。
【００５５】
請求項１６であれば、連通部とセンサ接続口の配設間隔が離れることにより、加圧手段の駆動に伴う脈動が原因となるノイズ成分や各層の空気袋が膨張する際に干渉して発生する振動等が減衰できるようになる。
【００５６】
請求項１７であれば、各連通部の配設間隔を離すことにより、加圧手段の駆動に伴う脈動が原因となるノイズ成分や各層の空気袋が膨張する際に干渉して発生する振動等が減衰できるようになる。
【００５７】
請求項１８であれば、センサ接続口または給排接続口は、人体接触面の反対側に血圧計本体を備えて、圧力センサと最短距離で接続されているような場合、各空気袋に圧縮空気が充填されることにより膨張して嵩が増加したときに、センサ接続口や給排接続口が血圧計本体側の接続口から抜けて空気が漏れるのを防止することができる。
【００５８】
請求項１９であれば、請求項１８と同様の作用効果を奏することができる。
【００５９】
請求項２０であれば、膨張抑制手段で、各空気袋が膨張しても嵩が増加しないように抑制できるので、センサ接続口が圧力センサから抜けて空気が漏れるのを防止することができる。
【００６０】
請求項２１であれば、計測用空気袋と圧迫用空気袋との連通部を空気遮断弁で遮断することにより、圧迫用空気袋から計測用空気袋に空気を伝わるノイズ成分を遮断することができる。
【００６１】
請求項２２であれば、計測用空気袋内に非圧縮性の流体を充填することにより、計測用空気袋で捉えた脈波信号を高精度で圧力センサに伝えることができる。
【００６２】
請求項２３であれば、圧迫用空気袋が膨張したときのセンサ接続口の根元部分に伝わるストレスが低減されて、より精度の高い脈波信号を捉えることができる。
【００６３】
請求項２４であれば、圧迫用空気袋からセンサ接続口に伝わるノイズ成分が低減されて、より精度の高い脈波信号を捉えることができる。
【００６４】
請求項２５であれば、計測用空気袋が膨張した際に、生体の湾曲面に沿いやすくなるので、生体の湾曲面を均一に圧迫することができる。
【００６５】
請求項２６であれば、動脈を確実に圧迫して確実に動脈の脈波信号を捉えることができるとともに、カフ帯の巻き付け位置に多少のバラツキがあっても、確実に動脈の脈波信号を捉えることができる。
【００６６】
請求項２７であれば、給排気の際に各空気袋内にチリ・ホコリ等のダストの侵入を防ぐことができるので、圧力センサの検出精度を維持することができる。
【００６７】
請求項２８であれば、計測用空気袋と圧迫用空気袋とは積層構造となっていることから、それぞれの空気袋を排気手段に接続することにより、血圧測定終了後の各空気袋からの排気を迅速かつスムーズに行うことができる。
【００６８】
請求項２９であれば、撓みによって外布が各空気袋の膨張を阻害しなくなるので、積層層構造の空気袋であっても、均一に動脈を圧迫できるようになる。なお、外布がストレッチ素材であれば、より効果的である。
【００６９】
請求項３０であれば、カフ帯によって、血圧計で高精度の測定が実現できるようになる。
【００７０】
請求項３１であれば、計測用空気袋を左側に配設した場合、左手首に巻装すれば、２本の主要な動脈のとう骨動脈と尺骨動脈のうち、比較的浅く脈波信号の捉えやすいとう骨動脈の脈波信号を捉えることになる。しかし、右手首に左手首と同方向から巻装した場合には、比較的深い尺動脈の信号を捉えることになり、精度が悪くなるおそれがある。そこで、計測用空気袋を右手首のとう骨動脈の上に配置すると、血圧計本体や表示部が逆さまになって、操作性が悪くなり、表示部の文字が読み取りずらくなる。このため、血圧計本体を１８０度反転して取付け可能として、操作性を良くし、表示部の文字が読み取りやすくなる。
【００７１】
請求項３２であれば、表示部を１８０度回転させることで、表示部の文字が読み取りやすくなる。
【００７２】
【発明の実施の形態】
以下、本発明の実施の形態を図面を参照して詳細に説明する。
【００７３】
図１は、第１実施形態の血圧計１のカフ帯２Ａと血圧計本体３とを模式的に示したものであり、（ａ）はカフ帯２Ａの側面図と血圧計本体３のシステム構成図、（ｂ）はカフ帯２Ａの平面図、（ｃ）はカフ帯２Ａの側面断面図である。
【００７４】
上記カフ帯２Ａは、手首や上腕部のような生体４（図１８参照）の少なくとも主要な２本以上の動脈（とう骨動脈と尺骨動脈）が存在する部位に、外布５（図１８参照）を用いて巻装して、動脈を圧迫することにより血圧測定を行うものである。
【００７５】
上記カフ帯２Ａは、上層の圧迫用空気袋６Ａ，６Ｂと下層の計測用空気袋７とが積層状態で設けられている。上層の圧迫用空気袋６Ａ，６Ｂを２層構造としたのは、計測用空気袋７の圧迫を均一に行うためである。なお、圧迫用空気袋６Ａ，６Ｂはいずれか１層であっても良い。
【００７６】
上記各空気袋６Ａ，６Ｂ，７は、伸縮性と気密性に優れたゴム等の素材で密閉袋状に形成されている。
【００７７】
上記各空気袋６Ａ，６Ｂ，７は、カフ帯２Ａの長手方向中央部Ｃより一側〔図１（ｃ）では右側〕で、連通部８ａ，８ｂにより上下方向に連通されていて、上側の圧迫用空気袋６Ａの上部には、給排気接続口９が上方に突出して設けられ、この給排気接続口９は、血圧計本体３の加圧手段（ポンプ）１３と排気手段１４の接続口１５に接続されて、圧縮空気が給排されるようになる。
【００７８】
上記上下の圧迫用空気袋６Ａ，６Ｂのカフ帯２Ａの長手方向中央部Ｃより他側〔図１（ｃ）では左側〕には、中空であるセンサ接続用開口部１０ａ，１０ｂが形成されている。
【００７９】
このセンサ接続用開口部１０ａ，１０ｂに対応する計測用空気袋７の上部には、各センサ接続用開口部１０ａ，１０ｂに触れないように遊嵌して、上記給排気接続口９と同一方向（上方）に突出するセンサ接続口１１が設けられ、このセンサ接続口１１は、血圧計本体３の圧力センサ（圧力検出手段）１２の接続口１９に接続されて、計測用空気袋７で捉えられた脈波信号が電気信号に変換されるようになる。
【００８０】
上記血圧計本体３には、制御演算回路１６が設けられ、この制御演算回路１６は、上記加圧手段１３と排気手段１４との圧縮空気の給排タイミングを制御するとともに、圧力センサ１２で変換された脈波信号の電気信号を血圧値等に演算処理するようになる。
【００８１】
この演算処理された血圧値等は表示手段１７で表示されるとともに、記憶手段１８で記憶されるようになる。
【００８２】
上記血圧計１を使用するには、先ず、外布５を用いてカフ帯２Ａを生体４の手首等に巻装して、スイッチをオンすると、加圧手段１３から圧縮空気が給排気接続口９に供給され、各連通部８ａ，８ｂを介して各空気袋６Ａ，６Ｂ，７に供給されて〔図１（ｃ）の矢印参照〕、各空気袋６Ａ，６Ｂ，７が膨張するようになる。
【００８３】
そして、圧迫用空気袋６Ａ，６Ｂで圧迫された計測用空気袋７で動脈を圧迫して阻血しながら、計測用空気袋７で捉えられた脈波信号がセンサ接続口１１を介して圧力センサ１２に伝えられ、この圧力センサ１２で変換された電気信号が制御演算回路１６で演算処理されて、表示手段１６で血圧値等が表示されるようになる。
【００８４】
上記血圧計１のカフ帯２Ａにおいては、下層の計測用空気袋７のセンサ接続口１１を、上層の圧迫用空気袋６Ａ，６Ｂの中空のセンサ接続用開口部１０ａ，１０ｂを遊嵌させて、給排気接続口９と同一方向に突出するように配設している。
【００８５】
これにより、センサ接続口１１が血圧計本体３の圧力センサ１２の接続口１９に最短距離で接続できるようになるので、計測用空気袋７で捉えられた脈波信号にノイズが乗りにくくなって、高精度の測定が実現できるようになる。
【００８６】
図２は、第２実施形態のカフ帯２Ｂであり、（ａ）は側面図、（ｂ）は側面断面図である。このカフ帯２Ｂの圧迫用空気袋６´は、１層として、上下方向に伸縮可能な蛇腹状に構成されている。
【００８７】
上記カフ帯２Ｂであれば、蛇腹状の圧迫用空気袋６´は、長手方向に曲がりやすくなるので、計測用空気袋７を生体４の手首等の曲面に沿って均一に圧迫することが可能となる。
【００８８】
図３は、第３実施形態のカフ帯２Ｃであり、（ａ）は側面図、（ｂ）は底面図、（ｃ）は側面断面図である。
【００８９】
このカフ帯２Ｃの計測用空気袋７は、第１実施形態のカフ帯２Ａの計測用空気袋７と比較して、長手方向が約半分に短く設定されて、カフ帯２の長手方向中央部Ｃの左側（右側でも可）に配設されるとともに、この右側（左側でも可）には圧迫補助用空気袋６Ｃが配置されている。つまり、計測用空気袋７と同じ層に、圧迫補助用空気袋６Ｃが配置されて、下側の圧迫用空気袋６Ｂに連通部８ｂで連通されている。また、計測用空気袋７は、下側の圧迫用空気袋６Ｂに連通部８ｃで連通されている。
【００９０】
上記計測用空気袋７は、上記圧迫補助用空気袋６Ｃよりも幅方向Ｗが狭く形成されて生体接触面積が小さくなるように設定されて、カフ帯２Ｃの幅方向中央部に配設されている。
【００９１】
上記カフ帯２Ｃであれば、計測用空気袋７と圧迫補助用空気袋６Ｃとを同じ層に設けることで、計測用空気袋７は、上層の圧迫用空気袋６Ａ，６Ｂよりも小さい形状となるから、阻血した際の動脈上流と下流の脈波信号の影響を避けることができる。また、圧迫補助用空気袋６Ｃは、圧迫用空気袋６Ａ，６Ｂで計測用空気袋７が均一に加圧されることを保証するようになる。
【００９２】
この計測用空気袋７と圧迫補助用空気袋６Ｃとは、カフ帯２Ｃの長手方向の左右に配置しているから、２本の主要な動脈の内のいずれか一方の脈波信号のみを確実に捉えることができるため、より精度の高い血圧測定ができる。しかも、生体４の手首で計測する場合には、手首の上部中央にある腱部分を確実に避けることができるので、より効果的に動脈を圧迫して阻血することができる。なお、基本的には、計測用空気袋７と同じ層に圧迫補助用空気袋６Ｃが設けられていれば良く、必ずしも長手方向の左右に配置する必要は無い。
【００９３】
また、計測用空気袋７をカフ帯２Ｃの幅方向Ｗの中央部Ｃとなるように配置すれば、阻血した際の動脈上流と下流の脈波信号の影響を効果的に避けることができる。
【００９４】
さらに、上記計測用空気袋７は、圧迫補助用空気袋６Ｃよりも幅方向が狭く形成されて生体接触面積が小さくなるように設定されて、カフ帯２Ｃの幅方向Ｗの中央部となるように配設しているから、阻血した際の動脈上流と下流の脈波信号の影響をより効果的に避けることができる。
【００９５】
図４は、第４実施形態のカフ帯２Ｄであり、（ａ）は第１例の側面断面図、（ｂ）は第２例の側面断面図ある。
【００９６】
上記圧迫用空気袋６Ａ，６Ｂが上側と下側の積層状態で設けられているタイプであれば、図４（ａ）のように、上側の圧迫用空気袋６Ａと下側の圧迫用空気袋６Ｂとの連通部８ａに抵抗部材２３を設けて、流路抵抗を高く設定している。
【００９７】
このカフ帯２Ｄであれば、上側の圧迫用空気袋６Ａと下側の圧迫用空気袋６Ｂとの連通部８ａの流路抵抗が高くなるから、圧縮空気を供給する加圧手段（ポンプ）１３の駆動に伴う脈動が原因となるノイズが減衰するために、計測用空気袋７でノイズの少ない高精度の脈波信号を捉えることができる。なお、連通部８ｂに抵抗部材２３を設けても良く、さらに両連通部８ａ，８ｂに抵抗部材２３を設けても良い。
【００９８】
また、抵抗部材２３として、通気性のスポンジ状材料を用いれば、給排気の際に各空気袋６Ａ，６Ｂ，７内にチリ・ホコリ等のダストの侵入を防ぐことができるので、圧力センサ１２の検出精度を維持することができる。なお、抵抗部材２３として、細管状の流路抵抗等でも良い。
【００９９】
一方、図４（ｂ）のように、下側の圧迫用空気袋６Ｂと計測用空気袋７との連通部８ｃに抵抗部材２３を設けて、流路抵抗を高く設定している。
【０１００】
このカフ帯２Ｄであれば、下側の圧迫用空気袋６Ｂと計測用空気袋７との連通部８ｃの流路抵抗を高くなるから、加圧手段１３の駆動に伴う脈動が原因となるノイズが減衰するために、計測用空気袋７でノイズの少ない高精度の脈波信号を捉えることができる。
【０１０１】
図５は、第５実施形態のカフ帯２Ｅであり、（ａ）は側面断面図、（ｂ）は第１例の抵抗部材２３の拡大断面図、（ｃ）は第２例の抵抗部材２３の拡大断面図ある。
【０１０２】
第１例では、上記下側の圧迫用空気袋６Ｂの中は、カフ帯２Ｅの長手方向中央部Ｃにおいて、通気性のある抵抗部材２３で仕切って、流路抵抗を高く設定している。なお、上側の圧迫用空気袋６Ａにも同様の抵抗部材２３を設けても良い。この抵抗部材２３としては、通気性のある発泡材が適当である。
【０１０３】
第２例では、上記下側の圧迫用空気袋６Ｂの中を厚み方向に絞り込んで、流路６ｃを狭くすることにより、この流路６ｃを抵抗部材２３として、流路抵抗を高く設定している。
【０１０４】
このカフ帯２Ｅであれば、抵抗部材２３で流路抵抗が高くなるから、加圧手段１３の駆動に伴う脈動が原因となるノイズが減衰するために、計測用空気袋７でノイズの少ない高精度の脈波信号を捉えることができる。
【０１０５】
また、カフ帯２Ｅの長手方向中央部Ｃに抵抗部材２３を設けたから、手首で計測する場合、手首の上部中央の腱の部分であたるので、流路抵抗を高くしたことによる圧迫不足は無い。
【０１０６】
第４実施形態のカフ帯２Ｄと第５実施形態のカフ帯２Ｅにおいて、流路抵抗が高く設定されている部位は、それぞれ所定の空気容量を持った空気室に接続されていることになるから、この空気室はローパスフィルターのような機能を持つことになるので、加圧手段１３の駆動に伴う脈動が原因となるノイズ成分をカットすることができる。
【０１０７】
このローパスフィルターは、図６に示すようなＣＲ時定数回路に置き換えることができる。このＣＲの時定数回路で考えてみると、１次のローパスフィルターＣ１，Ｒ１だけでなく、２次のローパスフィルターＣ１，Ｒ１とＣ２，Ｒ２とすると、より効果的にノイズ成分をカットでき、この２次の場合には、時定数Ｃ１，Ｒ１とＣ２，Ｒ２を等しく設定すると、より効果的にノイズ成分をカットすることができる。
【０１０８】
第４実施形態のカフ帯２Ｄと第５実施形態のカフ帯２Ｅにおいて、流路抵抗が高く設定されている部位を適当に組み合わせて用いることができ、この場合には、流路抵抗は、上記給排気接続口９から計測用空気袋７に近設されるものほど高くなるように設定することができる。
【０１０９】
このようにすれば、フィルター効果がより高まって、加圧手段１３の駆動に伴う脈動が原因となるノイズ成分をより効果的にカットすることができる。
【０１１０】
上記流路抵抗を高く設定する手段として、例えば図７に示すように、上層の圧迫用空気袋６Ａ，６Ｂを、それぞれ上下２枚のゴムシートで密閉袋状に形成して製造する際には、各空気袋６Ａ，６Ｂの外周とセンサ接続用開口部１０ａ，１０ｂの内周とをそれぞれ溶着ａをする。
【０１１１】
このとき、カフ帯２Ｅの長手方向中央部Ｃにおいて、各空気袋６Ａ，６Ｂの中を、長手方向に所定の間隔で幅方向に交互に延在するように溶着ｂをすることにより、この溶着ｂのパターンによって、流路抵抗を持った千鳥状の流路６ａが形成されるようになる。
【０１１２】
このようにすれば、流路抵抗となる流路６ａの部分の溶着代を増減することで、流路抵抗を簡単に調整することが可能になる。また、製造時に、空気袋６Ａ，６Ｂの外周の溶着ａと同時に行えるので、製造コストが安くなる。さらに、流路抵抗となる流路６ａをカフ帯２Ｅの長手方向中央部Ｃに設けたから、生体４の手首で計測する場合、手首の上部中央にある腱の部分にあたるので、流路６ａを形成したことによる圧迫不足は無い。
【０１１３】
図８に示すように、上記空気袋６Ａ，６Ｂの溶着によって構成された流路抵抗となる流路６ａに対応する各空気袋６Ａ，６Ｂの上下面に多数の凹凸部６ｂを形成すると、溶着した狭い流路６ａが密着して空気の流れが阻害されることを防止することができる。
【０１１４】
図９は、第６実施形態のカフ帯２Ｆの第１例であり、（ａ）は側面図、（ｂ）は底面図である。
【０１１５】
上記圧迫補助用空気袋６Ｃと上記計測用空気袋７との間に、振動遮断手段２７を設けている（ハッチング参照）。この振動遮断手段２７は、流体や固体成分（例えば、ゲルシート材等）で構成されて、高周波成分の振動を遮断するものが好ましい。
【０１１６】
このようにすれば、加圧手段１３の駆動に伴う脈動が原因となるノイズ成分が圧迫補助用空気袋６Ｃから計測用空気袋７に伝わるのを防止することができる。また、圧迫補助用空気袋６Ｃと計測用空気袋７とが膨張していく際に干渉して振動が発生するのを防止することができる。
【０１１７】
図１０は、第６実施形態のカフ帯２Ｆの第２例であり、（ａ）は側面図、（ｂ）は底面図である。
【０１１８】
上記計測用空気袋７の血流上流側と下流側とに、振動遮断手段２７を設けている（ハッチング参照）。
【０１１９】
このようにすれば、阻血した際の動脈上流と下流の脈波信号の影響を効果的に避けることができる。
【０１２０】
図１１は、第６実施形態のカフ帯２Ｆの第３例であり、（ａ）は側面図、（ｂ）は底面図である。
【０１２１】
上層の下側の圧迫用空気袋６Ｂと下層の計測用空気袋７との間に、振動遮断手段２７を設けている（ハッチング参照）。
【０１２２】
このようにすれば、加圧手段１３の駆動に伴う脈動が原因となるノイズ成分が圧迫用空気袋６Ｂから計測用空気袋７に伝わるのを防止することができる。また、圧迫用空気袋６Ｂと計測用空気袋７とが膨張していく際に干渉して振動が発生するのを防止することができる。
【０１２３】
図１２は、第７実施形態のカフ帯２Ｇの側面図である。
【０１２４】
上記下側の圧迫用空気袋６Ｂと上記計測用空気袋７とを連通する連通部８ｃと、センサ接続口９とは、配置間隔Ｌ１を隔てて、計測用空気袋７の長手方向の両端近傍に配設している。
【０１２５】
このように、連通部８ｃとセンサ接続口１１の配設間隔Ｌ１が離れることにより、加圧手段１３の駆動に伴う脈動が原因となるノイズ成分や各層の空気袋６Ａ，６Ｂ，６Ｃ，７が膨張する際に干渉して発生する振動等が減衰できるようになる。
【０１２６】
また、図１２に示すように、積層された圧迫用空気袋同士６Ａ，６Ｂまたは圧迫用空気袋６Ｂと圧迫補助用空気袋６Ｃを連通する連通部８ａ，８ｂと、圧迫用空気袋６Ｂと計測用空気袋７とを連通する連通部８ｃとは、配置間隔Ｌ２を隔てて、カフ帯２Ｆの長手方向の両端近傍に配設している。
【０１２７】
このように、各連通部８ａ，８ｂと８ｃの配設間隔Ｌ２が離れることにより、加圧手段１３の駆動に伴う脈動が原因となるノイズ成分や各層の空気袋６Ａ，６Ｂ，６Ｃ，７が膨張する際に干渉して発生する振動等が減衰できるようになる。
【０１２８】
上記各カフ帯２Ａ〜２Ｇにおいて、図１３（ａ）に示すように、上記計測用空気袋７のセンサ接続口１１と上側の圧迫用空気袋６Ａの給排接続口９は、接続方向に伸縮性のある素材を使用することが好ましい。
【０１２９】
すなわち、センサ接続口１１と給排接続口９とは、生体（人体接触面）４の反対側に血圧計本体３を備えて、圧力センサ１２の接続口１９と加圧手段１３等の接続口１５とに最短距離で接続されているような場合、各空気袋６Ａ〜６Ｃ，７に圧縮空気が充填されることにより膨張して嵩が増加したときに、センサ接続口１１や給排接続口９が血圧計本体３側の接続口１５，１９から抜けて空気が漏れるのを防止することができる。
【０１３０】
また、図１３（ｂ）に示すように、比較的長い計測用空気袋７のセンサ接続口１１を、接続方向に伸縮可能な蛇腹状に形成しても、上記伸縮性のある素材を使用する場合と同様の作用効果を奏することができる。なお、給排接続口９を蛇腹状に形成することも可能である。
【０１３１】
さらに、図１３（ａ）に示すように、上記上側の圧迫用空気袋６Ａの上に、膨張抑制手段２８を設けることができる。
【０１３２】
この膨張抑制手段２８は、例えば、側面視が略Ｃ字状のプラスチック製のクリップ板であって〔図１８（ｃ）参照〕、Ｃ字状部分で各空気袋６Ａ〜６Ｃ，７を保持するものを兼用することができる。
【０１３３】
このように、膨張抑制手段２８で、各空気袋６Ａ〜６Ｃ，７が膨張しても嵩が増加しないように抑制できるので、センサ接続口１１が圧力センサ１２の接続口１９から抜けて空気が漏れるのを防止することができる。
【０１３４】
上記各カフ帯２Ａ〜２Ｇにおいて、図１４に示すように、上記計測用空気袋７と下側の圧迫用空気袋６Ｂとが連通する連通部８ｃに、空気遮断弁２９を設けることができる。この空気遮断弁２９は、開閉して空気を給排する構造が好ましいが、連通部８ｃを溶着等で閉塞する構造であっても良い。
【０１３５】
このように、計測用空気袋７と圧迫用空気袋６Ｂとの連通部８ｃを空気遮断弁２９で遮断することにより、圧迫用空気袋６Ｂから計測用空気袋７に空気を伝わるノイズ成分を遮断することができる。
【０１３６】
また、上記空気遮断弁２９で遮断された計測用空気袋７内に、非圧縮性の流体を充填することもできる（図１４の点描部分参照）。
【０１３７】
このように、計測用空気袋７内に非圧縮性の流体を充填することにより、計測用空気袋７で捉えた脈波信号を高精度で圧力センサ１２に伝えることができる。
【０１３８】
上記各カフ帯２Ａ〜２Ｇにおいて、図１５に示すように、上側と下側の圧迫用空気袋６Ａ，６Ｂのセンサ接続用開口１０ａ，１０ｂの開口縁部に、所定幅の空気閉止域３３を形成することができる。
【０１３９】
このように、センサ接続用開口１０ａ，１０ｂの開口縁部に空気閉止域３３を形成することにより、圧迫用空気袋６Ａ，６Ｂが膨張したときのセンサ接続口１１の根元部分に伝わるストレスが低減されて、より精度の高い脈波信号を捉えることができる。
【０１４０】
また、上記空気閉止域３３に対応する圧迫用空気袋６Ｂと計測用空気袋７との間に、ゴムリングのような振動遮断手段３４を設けると、圧迫用空気袋６Ｂからセンサ接続口１１に伝わるノイズ成分が低減されて、より精度の高い脈波信号を捉えることができる。
【０１４１】
上記各カフ帯２Ａ〜２Ｇにおいて、図１６に示すように、上記計測用空気袋７の素材は、圧迫用空気袋６Ａ〜６Ｃの素材よりも伸縮性のある素材を使用することが好ましい。
【０１４２】
このように、計測用空気袋７に伸縮性があると、計測用空気袋７が膨張した際に、生体４の湾曲面に沿いやすくなるので、生体４の湾曲面を均一に圧迫することができる。
【０１４３】
また、上記計測用空気袋７は、生体４の周方向において生体周長の略半分の領域を包含する長さに設定しているから、動脈を確実に圧迫して確実に動脈の脈波信号を捉えることができるとともに、カフ帯２Ａ〜２Ｇの巻き付け位置に多少のバラツキがあっても、確実に動脈の脈波信号を捉えることができる。
【０１４４】
さらに、上記上側の圧迫用空気袋６Ａの給排気接続口９の近傍、例えば、血圧計本体３の加圧手段１３と排気手段１４との間の通路３５ａにダストフィルタ３６を設けることが好ましい。
【０１４５】
このように、ダストフィルター３６を設けると、給排気の際に各空気袋６Ａ〜６Ｃ，７内にチリ・ホコリ等のダストの侵入を防ぐことができるので、圧力センサ１２の検出精度を維持することができる。
【０１４６】
また、上記計測用空気袋７と圧迫用空気袋６Ａとは、通路３５ａ，３５ｂを介してそれぞれ排気手段１４に接続することが好ましい。なお、排気手段１４は、測用空気袋７と圧迫用空気袋６Ａとに別個のものを接続するようにしても良い。
【０１４７】
すなわち、計測用空気袋７と圧迫用空気袋６Ａ〜６Ｃとは積層構造となっていることから、それぞれの空気袋６Ａ〜６Ｃ，７を排気手段１４に接続することにより、血圧測定終了後の各空気袋６Ａ〜６Ｃ，７からの排気を迅速かつスムーズに行うことができる。
【０１４８】
さらにまた、図１７に示すように、上記各空気袋６Ａ〜６Ｃ，７を保持する外布５を有するカフ帯２Ａ〜２Ｇにおいて、測用空気袋７に相対する外布部分５ａに、予め所定量の弛みを持たせると、この撓みによって外布５が各空気袋の膨張を阻害しなくなるので、積層構造の空気袋６Ａ〜６Ｃ，７であっても、均一に動脈を圧迫できるようになる。なお、外布５がストレッチ素材であれば、より効果的である。
【０１４９】
図１８に示すように、上記カフ帯２Ａ〜２Ｇの各空気袋６Ａ〜６Ｃ，７は、プラスチック製のクリップ板（膨張抑制手段）２８で保持されて、これらは袋状の柔軟な外布５によって覆われるとともに、この外布５の外面と、外布５から長さ方向に延在するベルト部３７の内面とに、メカニカルファスナーのフック状雄係止部３８ａとループ状雌係止部３８ｂとがそれぞれ取付けられている。
【０１５０】
ここで、メカニカルファスナーとは、フック状雄係止部３８ａとループ状雌係止部３８ｂとが対をなして、両者を強く圧迫すると雄係止部３８ａと雌係止部３８ｂとが相互に外れにくいように係止されるとともに、雄係止部３８ａと雌係止部３８ｂとを手で強く引き剥がすと、雄係止部３８ａと雌係止部３８ｂとの係止が外れるものをいい、面ファスナーとも呼ばれている。
【０１５１】
そして、血圧計本体３を上側とし、計測用空気袋７と圧迫補助用空気袋６Ｃを下側として、手首等の生体４にベルト部３７を強く巻装し、メカニカルファスナーの雄係止部３８ａと雌係止部３８ｂとで係止することにより、手首等の生体４に血圧計１をセットすることができる。
【０１５２】
このような血圧計１であれば、上記各カフ帯２Ａ〜２Ｇによって、高精度の測定が実現できるようになる。
【０１５３】
上記血圧計本体３は、カフ帯２Ａ〜２Ｇの外布５の上部に着脱可能に取付けるように構成した場合、血圧計本体３を１８０度反転させて外布５の上部に取付けるようにすることが好ましい。
【０１５４】
すなわち、図１９（ａ）に示すように、計測用空気袋７を左側に配設した場合、生体４の左手首４Ｌにカフ帯２Ａ〜２Ｇを巻装すれば、２本の主要な動脈のとう骨動脈４ａと尺骨動脈４ｂのうち、比較的浅く脈波信号の捉えやすいとう骨動脈４ａの脈波信号を捉えることになる。しかし、右手首４Ｒに左手首４Ｌと同方向からカフ帯２Ａ〜２Ｇを巻装した場合には、比較的深い尺動脈４ｂの信号を捉えることになり、精度が悪くなるおそれがある。
【０１５５】
そこで、図１９（ｂ）のように、計測用空気袋７を右手首４Ｒのとう骨動脈４ａの上に配置すると、血圧計本体３や表示手段１７が逆さまになって、操作性が悪くなり、表示手段１７の文字が読み取りずらくなる。
【０１５６】
このため、図１９（ｃ）のように、血圧計本体３を水平面で１８０度反転して取付け可能にすると、操作性が良くなり、表示手段１７の文字が読み取りやすくなる。
【０１５７】
同様に、血圧計本体３の表示手段１７は、水平面で１８０度回転可能に取付け可能にすれば、表示手段１７の文字が読み取りやすくなる。
【図面の簡単な説明】
【図１】第１実施形態の血圧計のカフ帯と血圧計本体とを模式的に示したものであり、（ａ）はカフ帯の側面図と血圧計本体のシステム構成図、（ｂ）はカフ帯の平面図、（ｃ）はカフ帯の側面断面図である。
【図２】第２実施形態のカフ帯であり、（ａ）は側面図、（ｂ）は側面断面図である。
【図３】第３実施形態のカフ帯であり、（ａ）は側面図、（ｂ）は底面図、（ｃ）は側面断面図である。
【図４】第４実施形態のカフ帯であり、（ａ）は第１例の側面断面図、（ｂ）は第２例の側面断面図ある。
【図５】第５実施形態のカフ帯であり、（ａ）は側面断面図、（ｂ）は第１例の抵抗部材の拡大断面図、（ｃ）は第２例の抵抗部材の拡大断面図ある。
【図６】ローパスフィルターの説明図である。
【図７】流路抵抗を高く設定する手段として、溶着した圧迫用空気袋の平面断面図である。
【図８】空気袋に形成した凹凸部の拡大断面図である。
【図９】第６実施形態のカフ帯の第１例であり、（ａ）は側面図、（ｂ）は底面図である。
【図１０】第６実施形態のカフ帯の第２例であり、（ａ）は側面図、（ｂ）は底面図である。
【図１１】第６実施形態のカフ帯の第３例であり、（ａ）は側面図、（ｂ）は底面図である。
【図１２】第７実施形態のカフ帯の側面図である。
【図１３】（ａ）はセンサ接続口等を説明するためのカフ帯の側面断面図、（ｂ）はセンサ接続口の変形例の側面図である。
【図１４】空気遮断弁を示したカフ帯の側面図である。
【図１５】空気閉止域を示した圧迫用空気袋であり、（ａ）は平面図、（ｂ）は側面図である。
【図１６】排気手段とダストフィルターを備えたカフ帯の側面図と血圧計本体のシステム構成図である。
【図１７】弛みを持たせた外布を有するカフ帯の側面図である。
【図１８】（ａ）は血圧計の側面図、（ｂ）は血圧計を左手首に巻装した正面図、（ｃ）は手首と空気袋とクリップ板との関係を示す断面図である。
【図１９】（ａ）〜（ｃ）は血圧計の手首取付け例を示す平面図である。
【符号の説明】
１      血圧計
２Ａ〜２Ｇ  カフ帯
３      血圧計本体
４      生体
５      外布
６Ａ，６Ｂ，６Ｃ、６´  圧迫用空気袋
７      計測用空気袋
８ａ〜８ｃ  連通部
９      給排気接続口
１０ａ，１０ｂ  センサ接続用開口部
１１    センサ接続口
１２    圧力センサ
１３    加圧手段（ポンプ）
１４    排気手段
１６    制御演算回路
１７    表示手段
２１    圧迫補助用空気袋
２３    抵抗部材
２７    振動遮断手段
２８    膨張抑制手段（クリップ板）
２９    空気遮断弁
３３    空気閉止域
３４    振動遮断手段
３６    ダストフィルター
Ｃ      長手方向中央部
【図１】
2004254717.tif 000003
【図２】
2004254717.tif 000004
【図３】
2004254717.tif 000005
【図４】
2004254717.tif 000006
【図５】
2004254717.tif 000007
【図６】
2004254717.tif 000008
【図７】
2004254717.tif 000009
【図８】
2004254717.tif 000010
【図９】
2004254717.tif 000011
【図１０】
2004254717.tif 000012
【図１１】
2004254717.tif 000013
【図１２】
2004254717.tif 000014
【図１３】
2004254717.tif 000015
【図１４】
2004254717.tif 000016
【図１５】
2004254717.tif 000017
【図１６】
2004254717.tif 000018
【図１７】
2004254717.tif 000019
【図１８】
2004254717.tif 000020
【図１９】
2004254717.tif 000021